(57)【要約】【課題】上下寸法の狭いところだけではなく空きスペースの寸法、形状に応じて貯留タンクの形状を変えることができ、設置の自由度が高く、シンプルでコストの安い蓄熱式給湯装置を提供することを目的とする。【解決手段】蓄熱用流体Ｘを貯留する貯留タンク１と、この貯留タンク１内の蓄熱用流体Ｘを加熱する加熱手段と、給湯用水が流通する熱交換部４を有した給湯用配管３とを具備した給湯装置であって、前記貯留タンク１はその一部または全部が屈曲可能な可撓管１０とその両端部を密閉する蓋体１１、１２とからなり、前記熱交換部４は屈曲可能な熱交換パイプ１４ａが前記可撓管１０の一端部から他端部に貫通するように内挿されて二重構造を構成し、可撓管１０の一端部に低温の蓄熱用流体Ｘ−１を加熱手段側に流出する流出口を設けて低温側配管２１と接続するとともに他端部に加熱手段で加熱された高温の蓄熱用流体Ｘ−２の流入口を設けて高温側配管２２と接続している。【選択図】      図１
2005226880.tif 000002
【特許請求の範囲】
【請求項１】
蓄熱用流体を貯留する貯留タンクと、この貯留タンク内の蓄熱用流体を加熱する加熱手段と、給湯用水が流通する熱交換部を有した給湯用配管とを具備した給湯装置であって、前記貯留タンクはその一部または全部が屈曲可能な可撓管とその両端部を密閉する蓋体とからなり、前記熱交換部は屈曲可能な熱交換パイプが前記可撓管の一端部から他端部に貫通するように内挿されて二重構造を構成し、可撓管の一端部に低温の蓄熱用流体を加熱手段側に流出する流出口を設けて低温側配管と接続するとともに他端部に加熱手段で加熱された高温の蓄熱用流体の流入口を設けて高温側配管と接続したことを特徴とする蓄熱式給湯装置。
【請求項２】
蓄熱用流体を貯留する貯留タンクと、この貯留タンク内の蓄熱用流体を加熱する加熱手段と、給湯用水が流通する給湯用配管とを具備した給湯装置であって、前記貯留タンクはその一部または全部が屈曲可能な可撓管とその両端部を密閉する蓋体とからなり、複数個直列に連通管を介して配列され、前記給湯用配管はそれぞれの可撓管内で蓄熱用流体と熱交換する熱交換部が配設され、それぞれの熱交換部が連結配管部を介して接続され、該連結配管部が貯留タンクの外部に切り替え手段とともに配設され、連結配管部の一端が上流側の熱交換部の出口部側に接続され、他端が切り替え手段と接続され、切り替え手段は通路方向を切り換えて下流側の熱交換部の入口部側または出口部側に連通するように接続され、切り替え手段の上流側に温度検出手段が設けられ、温度検出手段により検出された検出温度と給湯設定温度とを比較し、給湯設定温度に達しないときは下流側の熱交換部の入口部側と連通し、給湯設定温度に達しているときは下流側の熱交換部の出口部側と連通するように切り替え手段を用いて切り換えることを特徴とする蓄熱式給湯装置。
【請求項３】
蓄熱用流体を貯留する貯留タンクと、この貯留タンク内の蓄熱用流体を加熱する加熱手段と、給湯用水が流通する熱交換部を有した給湯用配管とを具備した給湯装置であって、前記貯留タンクはその一部または全部が屈曲可能な可撓管とその両端部を密閉する蓋体とからなり、可撓管の一端部に低温の蓄熱用流体を加熱手段側に流出する流出口を設けて低温側配管と接続するとともに他端部に加熱手段で加熱された高温の蓄熱用流体の流入口を設けて高温側配管と接続し、前記熱交換部は貯留タンクの外側に並列に配設され、貯留タンクから流出される高温の蓄熱用流体と熱交換により給湯用水を加熱する循環回路が形成されていることを特徴とする蓄熱式給湯装置。
【請求項４】
請求項１、２又は３に記載の蓄熱式給湯装置に使用される貯留タンクであって、屈曲可能な可撓管が蛇腹状または螺旋状の長尺管体であることを特徴とする貯留タンク。
【発明の詳細な説明】
【技術分野】
【０００１】
本発明は、蓄熱式の給湯装置に関する。
【背景技術】
【０００２】
従来、電気温水器等の貯湯式給湯器は貯留タンクは円筒形状の縦形であり、貯留タンクの内部下方に加熱手段としてヒーターを備え，貯留タンクの下方に給水管を軒樋の接続して水を補給し、貯留タンクの上方に給湯管を接続して熱湯を取り出している。  
【０００３】
ところで、従来の電気温水器では、縦形であるため、床面に大きな設置スペースを必要とし、設置スペースに余裕のない家屋の場合は設置することができないという問題があった。
そこで、上下寸法の狭い場所への設置が可能となるように、貯湯タンクを横長の箱型にしたものが知られている（例えば、特許文献１を参照。）。
【特許文献１】特開２００２−１８９９６１号公報（図２及び図３）
【発明の開示】
【発明が解決しようとする課題】
【０００４】
ところで、特許文献１に記載された蓄熱式給湯装置では、上下寸法の狭い床下の場所に限って設置できるが、床下に基礎部分が張り出したり、床下収納庫が設けられている場所では設置できないという不具合がある。また、同じ上限寸法に制約がある場所でも、上下寸法がより狭くなるところでは設置することが不可能であり、別の貯留タンクを用意する必要があり、コストが上がるという問題がある。
【０００５】
本発明はそのような事情に鑑みてなされたもので、上下寸法の狭いところだけではなく空きスペースの寸法、形状に応じて貯留タンクの形状を変えることができ、設置の自由度が高く、シンプルでコストの安い蓄熱式給湯装置を提供することを目的とする。
【課題を解決するための手段】
【０００６】
このような目的を達成するために、請求項１に記載の発明に係わる蓄熱式給湯装置（以下、「請求項１の蓄熱式給湯装置」と記す）は、蓄熱用流体を貯留する貯留タンクと、この貯留タンク内の蓄熱用流体を加熱する加熱手段と、給湯用水が流通する熱交換部を有した給湯用配管とを具備した給湯装置であって、前記貯留タンクはその一部または全部が屈曲可能な可撓管とその両端部を密閉する蓋体とからなり、前記熱交換部は屈曲自在の熱交換パイプが前記可撓管の一端部から他端部に貫通するように内挿されて二重構造を構成し、可撓管の一端部に低温の蓄熱用流体を加熱手段側に流出する流出口を設けて低温側配管と接続するとともに他端部に加熱手段で加熱された高温の蓄熱用流体の流入口を設けて高温側配管と接続したことを特徴とする。
【０００７】
請求項２に記載の発明に係わる蓄熱式給湯装置（以下、「請求項２の蓄熱式給湯装置」と記す）は、蓄熱用流体を貯留する貯留タンクと、この貯留タンク内の蓄熱用流体を加熱する加熱手段と、給湯用水が流通する給湯用配管とを具備した給湯装置であって、前記貯留タンクはその一部または全部が屈曲可能な可撓管とその両端部を密閉する蓋体とからなり、複数個直列に連通管を介して配列され、前記給湯用配管はそれぞれの可撓性内で蓄熱用流体と熱交換する熱交換部が配設され、それぞれの熱交換部が連結配管部を介して接続され、該連結配管部が貯留タンクの外部に切り替え手段とともに配設され、連結配管部の一端が上流側の熱交換部の出口部側に接続され、他端が切り替え手段と接続され、切り替え手段は通路方向を切り換えて下流側の熱交換部の入口部側または出口部側に連通するように接続され、切り替え手段の上流側に温度検出手段が設けられ、温度検出手段により検出された検出温度と給湯設定温度とを比較し、給湯設定温度に達しないときは下流側の熱交換部の入口部側と連通し、給湯設定温度に達しているときは下流側の熱交換部の出口部側と連通するように切り替え手段を用いて切り換えることを特徴とする。
【０００８】
請求項３に記載の発明に係わる蓄熱式給湯装置（以下、「請求項３の蓄熱式給湯装置」と記す）は、蓄熱用流体を貯留する貯留タンクと、この貯留タンク内の蓄熱用流体を加熱する加熱手段と、給湯用水が流通する熱交換部を有した給湯用配管とを具備した給湯装置であって、前記貯留タンクはその一部または全部が屈曲可能な可撓管とその両端部を密閉する蓋体とからなり、可撓管の一端部に低温の蓄熱用流体を加熱手段側に流出する流出口を設けて低温側配管と接続するとともに他端部に加熱手段で加熱された高温の蓄熱用流体の流入口を設けて高温側配管と接続し、前記熱交換部は貯留タンクの外側に並列に配設され、貯留タンクから流出される高温の蓄熱用流体と熱交換により給湯用水を加熱する循環回路が形成されていることを特徴とする。
【０００９】
請求項３に記載の発明に係わる貯湯タンク（以下、「請求項４の貯留タンク」と記す）は、請求項１、２又は３に記載の蓄熱式給湯装置に使用される貯留タンクであって、屈曲可能な可撓管が蛇腹状または螺旋状の長尺管体であることを特徴とする。
【発明の効果】
【００１０】
以上説明したように、請求項１の蓄熱式給湯装置によれば、貯留タンクの可撓管を折り曲げて形状を変えることができるので、設置スペースの上下寸法の狭いところだけではなく空きスペースの寸法、形状に応じて貯留タンクの形状を変えることができ、貯留タンクの据え付け効率が向上する。また、給湯用配管は貯留タンク内の下部が給水管に接続され貯留タンク内の上部が給湯管に接続されて、蓄熱用流体と熱交換する熱交換部が貯留タンク内に配設されているので、蓄熱用流体と給湯用水との熱交換時のロスが少なくすることができ、蓄熱用流体との熱交換のための循環ポンプが不要となり、シンプルで安価なものとなる。
【００１１】
請求項２の蓄熱式給湯装置によれば、請求項１の発明の効果に加えて、貯留タンクが複数個直列に連通管を介して配列されることにより、温度検出手段で検出した給湯用水の温度が給湯設定温度に達していれば、下流側となる熱交換部を回避して給湯することができ、下流側の熱交換部が配設されている貯留タンク内の蓄熱用流体は熱交換を行わないことにより高い温度に保つことができる。更に、貯留タンクの高さを低く抑えることができ、床下等の高さ制限のある場所への設置が可能となる。
【００１２】
請求項３の蓄熱式給湯装置によれば、貯留タンクの可撓管を折り曲げて形状を変えることができるので、設置スペースの上下寸法の狭いところだけではなく空きスペースの寸法、形状に応じて貯留タンクの形状を変えることができ、貯留タンクの据え付け効率が向上する。
【００１３】
請求項４の貯留タンクによれば、設置スペースの形状、寸法に応じて可撓管を折り曲げるだけで据え付けが簡単に行うことができる。また、可撓管の屈曲部では温度境界層の容積を小さくすることができるので蓄熱効率を向上させることができる。
【発明を実施するための最良の形態】
【００１４】
次に、本発明の実施の形態の一例を図面を参照しながら説明する。
図１は本発明の蓄熱式給湯装置の第１実施例を示す概略説明図である。
本実施例の蓄熱式給湯装置は一般家庭用として使用されるもので、蓄熱用流体Ｘを貯留する貯留タンク１と、この貯留タンク１内の蓄熱用流体Ｘを加熱する加熱手段２と、給湯用水が流通して熱交換する熱交換部４を有した給湯用配管３と、給湯装置の動作を制御する制御装置（図示しない）とから構成されている。
【００１５】
貯留タンク１は、図２〜５にも示すように、断面円筒状の長尺状の可撓管１０と、その両端部を密閉する蓋体１１、１２とからなり、可撓管１０の両端部を蓋体１１、１２で密閉するとともに、一端側を下側にして設置されている。可撓管１０の他端側には上向きの管状空気孔１２ａが設けられており、この管状空気孔１２ａを通じて大気に開放されており、貯留タンク１内部が大気圧に保たれている。
【００１６】
可撓管１０は屈曲可能な蛇腹状または螺旋状の長尺管体であり、凹溝を軸方向に断続とする環状凹溝１００とするように、断面逆Ｕ字形の突出部１０１と底部１０２とを軸方向に繰り返したような、軸方向断面を波形としている。
また、可撓管１０は、図３〜４に示すように、一端部に蓋体１１を取付けて低温の蓄熱用流体Ｘが流出する流出口１３を設け、他端部に蓋体１２を取付けて加熱手段２で加熱された高温の蓄熱用流体Ｘが流入する流入口１４を設けて、加熱手段２との間で循環回路を形成することができるようにしている。
【００１７】
加熱手段２は、一般にヒートポンプと呼ばれるもので、例えば、炭酸ガス、代替フロン等を冷媒として使用することにより、高圧側の冷媒圧力が冷媒の臨界圧力以上となるヒートポンプサイクルを使用している。
【００１８】
また、加熱手段２は、低温側配管２１と高温側配管２２を介して貯留タンク１に接続され、低温側配管２１の上流端は貯留タンク１の流出口１３に連通して接続され、高温側配管２２の下流端は貯留タンク１の流入口１４に連通して接続されている。これにより、貯留タンク１の流出口１３から低温の蓄熱用流体Ｘを取り込み、加熱手段２により高温に加熱した後、高温側配管２２から貯留タンク１の流入口１４に戻すようになっている。
【００１９】
給湯用配管３は、貯留タンク１内に配設される熱交換部４としての屈曲可能な熱交換パイプ４ａと、この熱交換パイプ４ａの両側端に接続される給水管５と出湯管６とから構成されており、この熱交換パイプ４ａが前記可撓管１０の一端部から他端部に貫通するように内挿されて二重構造を形成している。
熱交換パイプ４ａは銅管、樹脂管、樹脂と金属の複合管等の可撓性を有する管体からなり、その上流端が貯留タンク１内の一端部で給水管５に接続され、下流端が貯留タンク１の他端部から側方に突出して出湯管６に接続されている。
【００２０】
このような蓄熱式給湯装置を設置するには、建物の床下や壁面に形成される空きスペースに、可撓管１０を熱交換パイプ４ａとともにＳ字状に屈曲させて設置する。次ぎに、熱交換パイプ４ａの両側端に給水管５と出湯管６を接続し、続いて、貯留タンク１と加熱手段２とを低温側配管２１と高温側配管２２でそれぞれ流出口１３と流入口１４に接続して蓄熱循環回路を形成する。
【００２１】
次に本実施例の蓄熱式給湯装置の給湯時の作動について説明する。
貯留タンク内の蓄熱用流体Ｘは、例えば深夜電力を利用してヒートポンプサイクルを作動させることにより、必要量だけ加熱されて蓄熱される。その後、給湯用蛇口（図示しない）が開かれると、給湯用配管３内の給湯用水が、下段から上段へと熱交換パイプ４ａ内を流れる。この間に、貯留タンク１内の蓄熱用流体Ｘと給湯用水とはそれぞれの熱交換部４で熱交換され、給湯用水は加熱されて給湯することができる。
【００２２】
熱交換部４で給水管５から給水された給湯用水が加熱されると、蓄熱用流体Ｘは冷却される。冷却された蓄熱用流体Ｘは比重が重くなるため、貯留タンク１の上段から下段へと降下していく。熱交換部４で順次熱交換され比重の重くなった低温の蓄熱用流体Ｘは貯留タンク１の下部に蓄積され低温の温度層Ｘ−１を形成する。
【００２３】
下段の熱交換部４で熱交換した加熱された給湯用水は、さらに上段の熱交換部４で高温の蓄熱用流体Ｘ２と熱交換により加熱される。この蓄熱用流体Ｘは冷却され比重が重くなり下降していくが、上段の熱交換部４の給湯用水の温度は、下段の熱交換部４の温度よりも高い。従って、熱交換された上部の蓄熱用流体Ｘの温度は熱交換された下部の蓄熱用流体Ｘのよりも高いため高温の温度層Ｘ−２を形成しており、階層状の温度の境界層ｘが明確となる。この温度の境界層ｘは可撓管１０の屈曲部では最小の容積となり、高温部から低温部への熱移動による温度低下を抑制することができる。
【００２４】
図６は本発明の蓄熱式給湯装置の第２実施例を示す概略説明図で、図１で説明した第１実施例において、複数の貯留タンク１を直列に配置して蓄熱循環回路を形成したものである。
【００２５】
図において、貯留タンク１Ａ、１Ｂ、１Ｃは連通管６１、６２を介して直列に接続されている。貯留タンク１Ｃと貯留タンク１Ｂとは、連通管６２の上流端が貯留タンク１Ｃの下部（可撓管１０ｃの一端部）に開口して接続され、連通管６２の下流端は貯留タンク１Ｂの上部（可撓管１０ｂの他端部）に開口して接続されており、また、貯留タンク１Ｂと貯留タンク１Ａとは、連通管６１の上流端が貯留タンク１Ｂの下部（可撓管１０ｂの一端部）に開口して接続され、連通管６１の下流端は貯留タンク１Ａの上部（可撓管１０ａの他端部）に開口して接続されている。
【００２６】
そして、加熱手段２は、低温側配管２１の上流端が貯留タンク１Ａ（可撓管１０ａの一端部）の下部に開口して接続され、高温側配管２２の下流端は貯留タンク１Ｃの上部（可撓管１０ｃの他端部）に開口して接続されている。これにより、貯留タンク１Ａの下部から低温の蓄熱用流体Ｘ１を取り込み、高温に加熱した後、高温側配管２２から貯留タンク１Ｃの上部に戻すようになっている。
【００２７】
給湯用配管３は、ヘアピン状に屈曲した熱交換部４１、４２、４３が直列に接続されたもので、熱交換部４１、４２、４３がそれぞれ独立して貯留タンク１Ａ、１Ｂ、１Ｃの可撓管１０ａ、１０ｂ、１０ｃ内に貫通して配設されている。そして、上流側となる熱交換部４１と下流側となる熱交換部４２は三方弁等の切り替え手段８０を介して連結配管部３４により接続されており、上流側となる熱交換部４２と下流側となる熱交換部４３は三方弁等の切り替え手段９０を介して連結配管部３５により接続されている。また、三方弁８０は通路方向を切り替えて下流側となる熱交換部４２の出口部側に連通するように連結配管部３７により接続され、三方弁９０は通路方向を切り替えて下流側となる熱交換部４３の出口部側に連通するように連結配管部３８により接続されている。
【００２８】
次に第２実施例の蓄熱式給湯装置の給湯時の作動について説明する。
貯留タンク１Ａ、１Ｂ、１Ｃ内の蓄熱用流体Ｘ１、Ｘ２、Ｘ３は、例えば深夜電力を利用して加熱手段２→貯留タンク１Ｃ→貯留タンク１Ｂ→貯留タンク１Ａ→加熱手段２とヒートポンプサイクルを作動させることにより、必要量だけ加熱されてそれぞれの貯留タンク１Ａ、１Ｂ、１Ｃに蓄熱される。その後、給湯用蛇口６ａが開かれると、給水管５から供給された給湯用水が、貯留タンク１Ａ内の熱交換部４１、貯留タンク１Ｂ内の熱交換部４２、貯留タンク１Ｃ内の熱交換部４３の順に流れる。この間に、貯留タンク１Ｃ、１Ｂ、１Ａ内の蓄熱用流体Ｘ３、Ｘ２、Ｘ１と給湯用水とは、それぞれの熱交換部４３、４２、４１で熱交換され、給湯用水は加熱されて給湯することができる。
【００２９】
貯留タンク１Ａ内の熱交換部４１で加熱された給湯用水は、給湯用水が流通する連結配管部３４で温度センサ８１により温度が検出される。この検出温度が給湯設定温度と比較され、検出温度が給湯設定温度に達している場合は、三方弁８０により貯留タンク１Ｂ内の熱交換部４２の入口部側との連通を遮断し出口部側の連結配管部３７に連通するように切り換える。
【００３０】
検出温度が給湯設定温度に達しないときは、三方弁８０により貯留タンク１Ｂ内の熱交換部４２の出口部側との連通を遮断し入口部側に連通するように連結配管部３４切り換え、貯留タンク１Ａ内の熱交換部４１で加熱された給湯用水を貯留タンク１Ｂ内の熱交換部４２によりさらに加熱する。
【００３１】
同様にして、貯留タンク１Ｂ内の熱交換部４２で加熱された給湯用水を連結配管部３５で温度センサ９１により温度を検出し、給湯設定温度と比較し、検出温度が給湯設定温度に達していれば、三方弁９０により貯留タンク１Ｃ内の熱交換部４３の入口部側との連通を遮断し出口部側の連結配管部３８に連通するように切り換える。
【００３２】
検出温度が給湯設定温度に達しないときは、三方弁９０により貯留タンク１Ｃ内の熱交換部４３の出口部側との連通を遮断し入口部側の連結配管部３５に連通するようにに連通するように切り換え、給湯用水を熱交換部４３によりさらに加熱する。
【００３３】
このように、温度センサ８１、９１で検出した給湯用水の温度が給湯設定温度に達していれば、下流側となる熱交換部４１、４２を回避して給湯することができ、貯留タンク１Ｂ内の蓄熱用流体Ｘ２または貯留タンク１Ｃ内の蓄熱用流体Ｘ３は熱交換を行わないことにより高い温度に保つことができ、貯留タンク毎の温度層の分離が明確になる。
【００３４】
本実施例において、３個の貯留タンクを連通管を介して直列に接続した構成としたが、蓄熱用流体の量、設置場所の高さ制限などにより、貯留タンクの数は設定できる。
【００３５】
図７は本発明の蓄熱式給湯装置の第３実施例を示す概略説明図で、図１で説明した第１実施例において、熱交換部は貯留タンク内に配設しないで、貯留タンク内の外側に並列に配設した外部熱交換方式を採用した点を除いては同じである。
【００３６】
図において、前記貯留タンク１は第１実施例と同じ構成で、屈曲可能な可撓管１０とその両端部を密閉する蓋体１１、１２とからなっている。可撓管１０の一端部に低温の蓄熱用流体を加熱手段側に流出する流出口１３を設けて低温側配管２１と接続するとともに他端部に加熱手段２で加熱された高温の蓄熱用流体の流入口１４を設けて高温側配管２２と接続している。
【００３７】
熱交換部４は、加熱された高温の蓄熱用流体Ｘと給湯用水との熱交換により給湯用水を温水にするもので、貯留タンク１と外部流路を形成する外部配管４１、４２により接続されており、外部配管４２の間には図示しないポンプが設けられいる。
給湯用水は、熱交換部４の内部を蓄熱用流体Ｘと対向するようにして給水管５と出湯管６とが接続されており、熱交換部４は、対向流式の熱交換器４Ａとして作動するようにしている。
【００３８】
次に本実施例の蓄熱式給湯装置の給湯時の作動について説明する。
貯留タンク内の蓄熱用流体Ｘは、第１実施例と同じように深夜電力を利用してヒートポンプサイクルを作動させることにより、必要量だけ加熱されて蓄熱される。
使用者が給湯用蛇口６ａを開いて給湯用水を使用すると、給水管５→熱交換器４Ａ→出湯管６の順に給湯用水が流れ、給湯用水の流量センサーの検出信号、出湯管６の湯温センサレーの検出信号に基づいて図示しないホンプを作動させ、貯留タンク１から所定量の貯留された高温の蓄熱用流体Ｘを外部配管４２→熱交換器４Ａ→外部配管４１の順に循環させる。熱交換器４Ａで高温の蓄熱用流体Ｘと給湯用水とが熱交換され、給湯用水は加熱されて温水となり給湯用蛇口６ａから出湯することができる。
【００３９】
熱交換器４Ａで給水管５から給水された給湯用水が加熱されると、蓄熱用流体Ｘは冷却される。冷却された蓄熱用流体Ｘは外部配管４１から貯留タンク１の下側から押し込まれ貯留タンク１の下部に蓄積され低温の温度層を形成する。
【００４０】
以上、本発明の実施の形態を図面により詳述してきたが、具体的な形態はこの実施の形態に限られものではなく、本発明の要旨を逸脱しない範囲における設計の変更等があっても本発明に含まれる。
【００４１】
例えば、上記実施例では貯留タンク１は全部が屈曲可能な長尺状の可撓管１０としたが、図８に示すように、剛性を有する直管１００Ｓを短尺状の可撓管１０ｓで接続し、可撓管１０ｓの部分を屈曲可能としてもよい。
【図面の簡単な説明】
【００４２】
【図１】本発明の蓄熱式給湯装置の第１実施例を示す概略説明図である。
【図２】図１におけるＡ部を示す拡大断面図である。
【図３】図１におけるＢ部を示す拡大断面図である。
【図４】図１におけるＣ部を示す拡大断面図である。
【図５】図２におけるＤ−Ｄ線断面図である
【図６】本発明の蓄熱式給湯装置の第２実施例を示す概略説明図である。
【図７】本発明の蓄熱式給湯装置の第３実施例を示す概略説明図である。
【図８】本発明の貯留タンクの変形例を示す一部切り欠き断面図である。
【符号の説明】
【００４３】
Ｘ、Ｘ１、Ｘ２、Ｘ３    蓄熱用流体                                    
１、１Ａ、１Ｂ、１Ｃ    貯留タンク
１０、１０ａ、１０ｂ、１０ｃ、１０ｓ  可撓管                                    ３    給湯用配管
４、４１、４２、４３    熱交換部
４ａ    熱交換バイプ
４Ａ    熱交換器
５    給水管
６    給湯管
２１  低温側配管      
２２  高温側配管
８０、９０  切り替え手段（三方弁）
８１、９１  温度検知手段（温度センサ）
【図１】
2005226880.tif 000003
【図２】
2005226880.tif 000004
【図３】
2005226880.tif 000005
【図４】
2005226880.tif 000006
【図５】
2005226880.tif 000007
【図６】
2005226880.tif 000008
【図７】
2005226880.tif 000009
【図８】
2005226880.tif 000010